(57)【要約】【課題】  穀物乾燥装置に用いる水分測定装置において、既製品の水分計を使用できるようにする。【解決手段】  穀物共同乾燥調製施設における荷受部に搬入された穀物の一部をサンプル穀物として抽出し、該サンプル穀物の水分を測定する穀物水分計であって、穀物水分計は、上方に向けて開口された穀物の投入・排出口部と、該投入・排出口部から受け入れられた穀物の水分を測定する水分測定部と、本体部とで構成され、本体部の底部を固定して支持する支持台と、前記水分測定部によって水分が測定された穀物を前記投入・排出口部から排出するよう前記支持台を回転させる回転アクチュエータと、を備えている。また、穀物水分計の本体部と支持台とが脱着可能となっている。【選択図】図４
2020106229.tif 000002
【特許請求の範囲】
【請求項１】
穀物共同乾燥調製施設における荷受部に搬入された穀物の一部をサンプル穀物として抽出し、該サンプル穀物の水分を測定する穀物水分計であって、
前記穀物水分計は、上方に向けて開口された穀物の投入・排出口部と、該投入・排出口部から受け入れられた穀物の水分を測定する水分測定部と、本体部とで構成され、
該本体部の底部を固定して支持する支持台と、前記水分測定部によって水分が測定された穀物を前記投入・排出口部から排出するよう前記支持台を回転させる回転アクチュエータと、を備えていることを特徴とする穀物水分計。
【請求項２】
請求項１に記載の穀物水分計であって、前記穀物水分計の本体部と前記支持台とが脱着可能となっている穀物水分計。
【請求項３】
請求項２に記載の穀物水分計であって、前記穀物水分計の本体部と前記支持台との脱着にクイックリリース機構を採用してなる穀物水分計。
【請求項４】
請求項３に記載の穀物水分計であって、前記クイックリリース機構が、前記穀物水分計の本体部側に接続されるベースプレートと、前記ベースプレートの裏面側に凸設した一対の爪部材と、前記ベースプレートに設けた脱落防止用の突出片と、前記一対の爪部材を嵌合させて固定するため前記支持台側に穿設した固定孔と、前記脱落防止用の突出片を嵌合させ前記支持台側にノブボルトにより固定する脱落防止板と、により構成される穀物水分計。
【発明の詳細な説明】
【技術分野】
【０００１】
本発明は、穀物水分計に関する。
【背景技術】
【０００２】
乾燥調製施設などの穀物処理施設では、荷受部に搬入された穀物の一部がサンプル穀物として抽出され、自主検定装置に供給される。自主検定装置では、穀物の計量、脱ぷ、選別などが行われ、整粒および屑粒の計量データから歩留まりが計算される。サンプル穀物は、このような自主検定装置に供給される前に、サンプル穀物乾燥装置において、水分測定され、その水分測定結果に基づいて乾燥される。こうして乾燥された穀物が自主検定装置に供給される。
【０００３】
かかるサンプル穀物の水分測定装置として、例えば、下記の特許文献１に記載の装置が知られている。この水分測定装置は、溜まり部と垂直路とを備えている。ホッパに供給された穀物のうち一部の穀物が溜まり部に溜まり、その他の穀物は垂直路に導かれる。溜まり部に貯まった穀物は、一粒ずつ水分計に供給される。この水分計は電気抵抗式であって、一対の電極ロールによって穀物を圧砕しながら、その電気抵抗値が測定されて、水分値に換算される。圧砕された穀物は、専用の容器に排出され、廃棄される。
【先行技術文献】
【特許文献】
【０００４】
【特許文献１】特開２００１−４１６５４号公報
【発明の概要】
【発明が解決しようとする課題】
【０００５】
しかしながら、上記従来の水分測定装置によれば、サンプル穀物乾燥装置に合わせて設計および製造を行う必要があり、コスト低減の余地を残していた。また、上記従来の水分測定装置によれば、圧砕され、廃棄される穀物の分だけ、利用可能な穀物が目減りすることになる。しかも、圧砕された穀物用の容器を取り出して、当該穀物を廃棄するという余分な作業工程も発生する。このため、必須ではないものの、穀物を目減りさせないこと、ひいては、穀物の廃棄工程を発生させないことが望ましい。
さらに、このような水分測定装置は、水分の測定値が経年変化により誤差が生じた場合に正しい水分値に校正する際の調整や、内部の部品交換等のメンテナンス時を想定してサンプル乾燥装置から容易に脱着できるような構造であることが望ましい。
【課題を解決するための手段】
【０００６】
本発明は、上記課題の少なくとも一部を解決するためになされたものであり、例えば、以下の形態として実現することが可能である。
【０００７】
本発明の第１の形態によれば、穀物共同乾燥調製施設における荷受部に搬入された穀物の一部をサンプル穀物として抽出し、該サンプル穀物の水分を測定する穀物水分計であって、この穀物水分計は、上方に向けて開口された穀物の投入・排出口部と、該投入・排出口部から受け入れられた穀物の水分を測定する水分測定部と、本体部とで構成され、該本体部の底部を固定して支持する支持台と、前記水分測定部によって水分が測定された穀物を前記投入・排出口部から排出するよう前記支持台を回転させる回転アクチュエータと、を備えている。
【０００８】
かかる穀物水分計によれば、前記投入・排出口部を備えた既製の水分計を支持台に取り付けて荷受サンプル用の水分計として使用することができる。したがって、荷受サンプル用の水分計として製造コストを低減することができる。また、従来技術のように穀物が目減りすることや、廃棄工程が発生することがない。
【０００９】
本発明の第２の形態によれば、第１の形態において、前記穀物水分計の本体部と前記支持台とが脱着可能となっている。これにより、水分値を校正する際の調整や、部品交換のメンテナンスが簡易にできる。
【００１０】
本発明の第３の形態によれば、第２の形態において、前記穀物水分計の本体部と前記支持台との脱着にクイックリリース機構を採用している。これにより、穀物水分計の本体部と前記支持台との脱着を行う際、工具を用いることなく、作業を簡易に素早く行うことができる。
【図面の簡単な説明】
【００１１】
【図１】荷受計量器の概略正面図である。
【図２】水分測定部の一部を拡大した拡大側面図である。
【図３】図２の矢視Ａ方向から見たときの水分測定部の拡大図である。
【図４】穀物水分計を支持台に取り付けるときの構造を示す説明図である。
【図４】水分計の周囲を示す説明図である。
【図５】図５（ａ）はベースプレートの表面を示す斜視図である。図５（ｂ）は図５（ａ）を矢視Ａ方向から見たときのベースプレートの裏面を示す斜視図である。図５（ｃ）は図５（ａ）をＢ−Ｂ線で破断したときの爪部材の断面図である。
【発明を実施するための形態】
【００１２】
図１は、乾燥調製施設の荷受部に設置される荷受計量器の概略正面図である。この荷受計量器１は、計量部本体２と、計量部本体２上部に接続される穀物を供給するための供給筒３と、該供給筒３側部の一方側に設置される穀物の水分測定部４と、前記供給筒３側部の他方側に設置され、穀物の一部をサンプル穀物として抽出して自主検定装置(図示せず)に供給するためのサンプル採取器５とを主要部として構成される。
【００１３】
図２は、前記水分測定部４の一部を拡大した拡大正面図であり、図３は、図２の矢視Ａ方向から見たときの水分測定部４の一部を拡大した拡大側面図である。図２、図３に示すように、水分測定部４は、供給筒３から分岐して水分測定用の穀物サンプルを採取する分枝管６と、穀物水分計７と、水分測定済みの穀物を受ける排出ホッパ８と、該排出ホッパ８から計量部本体２に水分測定済みの穀物を返還する排出樋９とにより構成される。そして、図３に示すように、穀物水分計７は、支持台５０と、回転アクチュエータ６０とを備えている。
【００１４】
穀物水分計７は、電気容量式である。このため、水分測定に際して、穀物サンプルは圧砕されないため損傷を受けない。その結果、水分測定によって穀物サンプルが目減りすることや、圧砕により損傷した穀物サンプルを廃棄するといった工程が発生することがない。穀物水分計７は、上方に向けて開口した投入・排出口７１を有している。この投入・排出口７１には、水分を測定すべき穀物サンプルが投入される。この穀物水分計７は、既製品であって、容易に入手可能である。
【００１５】
穀物水分計７はその本体部７ａを支持台５０に固定し、支持台５０は回転アクチュエータ６０を介して水分測定部４の架台４１に支持する。符号４２は回転アクチュエータ５０が取り付けられるステーであり、ステー４２は前記架台４１の左右の柱４３ａ，４３ｂに掛け渡されている。そして、回転アクチュエータ６０は、水平方向の回転軸線１０を中心として、支持台５０を矢印Ａ１で示される方向に回転させる。これにより、支持台５０に穀物水分計７が固定されているので、支持台５０は穀物水分計７と一体的に回転することになる。
本実施形態では、支持台５０および穀物水分計７は、図３に示す状態から１８０°回転可能に構成されている。かかる構成により、穀物水分計７によって水分が測定された後のサンプルは、支持台５０および穀物水分計７が１８０°回転されたときに、投入・排出口７１から下方に排出される。
【００１６】
図４は、穀物水分計７を支持台５０に取り付けるための構造を示す説明図である。本実施形態では、穀物水分計７と支持台５０との取り付ける際、工具を用いることなく、支持台５０から容易に脱着できるよう、クイックリリース機構を採用することができる。
【００１７】
図４を参照すれば、穀物水分計７の底面の四隅には、雄ねじ７２が設けられている。そして、穀物水分計７と支持台５０との間に、あらかじめベースプレート８０を固設しておくのがよい。このベースプレート８０は、プレート裏面に凸設した一対の爪部材８１，８２（図４，図５(a)，図５(b)）と、ねじ止め用の貫通孔８７と、脱落防止用の突出片８８とを備えている。そして、ベースプレート８０の貫通孔８７に雄ねじ７２が挿入された状態でナット７３を雄ねじ７２に装着して締めることによって、穀物水分計７（本体部７ａ底面）がベースプレート８０に固定される。このベースプレート８０は、カメラを三脚に取り付けるときに使用するクイックシューのような役目を果たすものであり、穀物水分計７と支持台５０とを容易に脱着できるようになっている。
【００１８】
支持台５０は（図４参照）、水平方向（Ｚ軸方向）に延在する第１のプレート５１と、この第１のプレート５１から鉛直方向（Ｙ軸方向）上方へ延在する第２のプレート５２と、を備えている。第１のプレート５１の四隅には、雄ねじ７２及びナット７３を挿通させるよう、これらに対応する位置に長穴５３が形成されている。また、前記第１プレート５１には、前記ベースプレート８０の一対の爪部材８１，８２を挿通させる挿通孔８３，８４及び爪部材８１，８２を固定させるための固定孔８５，８６が設けられている。さらに、前記第１プレート５１の端面５１ａ側には、脱落防止板５５を固定するためのねじ孔５４が設けられる。
【００１９】
前記脱落防止板５５には、前記ベースプレート８０の突出片８８を嵌合するための嵌合長孔５６と、前記脱落防止板５５をねじ止めするための挿通孔５７とが設けられる。
【００２０】
前記第２のプレート５２には、複数の貫通穴５９が形成されている。この貫通穴５９を介してボルト６１を回転アクチュエータ６０に取り付けることによって、回転アクチュエータ６０は、第２のプレート５２を回転可能にするよう、一方をステー４２に固定し、他方の回転部を第２のプレート５２に固定する。
【００２１】
以上の構成によって、穀物水分計７（ベースプレート８０）を支持台５０に対して、工具を用いることなく、固定および固定解除することができる。すなわち、穀物水分計７を支持台５０に固定するときは、ベースプレート８０の一対の爪部材８１，８２を、支持台５０の挿通孔８３，８４に挿通させるとともに、爪部材８１，８２をＺ軸方向に移動させて固定孔８５，８６で固定する（図４の矢印Ａ２，Ａ３）。図５（ｂ）、図５（ｃ）で示すように、前記ベースプレート８０の爪部材８１，８２は、該爪部材８１，８２と前記ベースプレート８０との間に狭小部材８９，９０が介在している。この狭小部材８９，９０によってベースプレート８０が固定孔８５，８６にしっかりと嵌合し固定されるようになる。その後、前記脱落防止板５５の嵌合長孔５６に前記ベースプレート８０の突出片８８を嵌合させ（図４の矢印Ａ４）、ノブボルト５８により前記脱落防止板５５を支持台５０に固定する。これにより、工具を用いることなく、穀物水分計７を支持台５０に対して強固にしっかりと固定することができる。
【００２２】
穀物水分計７を支持台５０から固定解除するには、上記の作用と逆の手順で取り外すとよい。すなわち、ノブボルト５８をねじ孔５４から螺脱するとともに、脱落防止板５５の嵌合長孔５６からベースプレート８０の突出片８８を抜脱する。そして、爪部材８１，８２を取り付け時とは反対方向に抜脱すれば、工具を用いることなく、穀物水分計７を支持台５０から抜脱することができる。
【００２３】
穀物水分計７を支持台５０から取り外せば、穀物水分計７の経年変化により誤差が生じたときに、正しい水分値に校正することが容易にできる。また、穀物水分計７の内部の部品交換等のメンテナンスも簡単に行うことができる。メンテナンスが終了すれば、もとの支持台５０に容易に取り付けることができる。
【００２４】
以上、本発明のいくつかの実施形態について説明してきたが、上記した発明の実施形態は、本発明の理解を容易にするためのものであり、本発明を限定するものではない。本発明は、その趣旨を逸脱することなく、変更、改良され得るとともに、本発明にはその均等物が含まれる。また、上述した課題の少なくとも一部を解決できる範囲、または、効果の少なくとも一部を奏する範囲において、特許請求の範囲および明細書に記載された各構成要素の組み合わせ、または、省略が可能である。
【符号の説明】
【００２５】
１…荷受計量器
２…計量部本体
３…供給筒
４…水分測定部
５…サンプル採取器
６…分枝管
７…穀物水分計
８…排出ホッパ
９…排出樋
１０…回転軸線
４１…架台
４２…ステー
４３…柱
５０…支持台
５１…第１プレート
５２…第２プレート
５３…長穴
５４…ねじ孔
５５…脱落防止板
５６…嵌合長孔
５７…挿通孔
５８…ノブボルト
５９…貫通穴
６０…回転アクチュエータ
６１…ボルト
７１…投入・排出口
７２…雄ねじ
７３…ナット
８０…ベースプレート
８１…爪部材
８２…爪部材
８３…挿通孔
８４…挿通孔
８５…固定孔
８６…固定孔
８７…貫通孔
８８…突出片
８９…狭小部材
９０…狭小部材
【図１】
2020106229.tif 000003
【図２】
2020106229.tif 000004
【図３】
2020106229.tif 000005
【図４】
2020106229.tif 000006
【図５】
2020106229.tif 000007
【手続補正書】
【提出日】平成31年2月15日(2019.2.15)
【手続補正１】
【補正対象書類名】明細書
【補正対象項目名】００１１
【補正方法】変更
【補正の内容】
【００１１】
【図１】荷受計量器の概略正面図である。
【図２】水分測定部の一部を拡大した拡大側面図である。
【図３】図２の矢視A方向からみたときの水分測定部の拡大図である。
【図４】穀物水分計を支持台に取り付けるときの構造を示す説明図である。
【図５】図５（ａ）はベースプレートの表面を示す斜視図である。図５（ｂ）は図５（ａ）を矢視Ａ方向からみたときのベースプレートの裏面を示す斜視図である。図５（ｃ）は図５（ａ）をＢ−Ｂ線で破断したときの爪部材の断面図である。